【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
交互に起こるパリティのフィールドのシーケンスを含むインターレースド・ビデオを符号化するビデオ符号化方法であって、
フレームのシーケンスを生成し、夫々のフレームが、当該フレームの領域を夫々形成する少なくとも２つの連続するフィールドの形を成すことと、
前記フレームのシーケンスの符号化されたビデオを生成するよう前記シーケンスの夫々のフレームを符号化することと
を有し、
前記シーケンスの夫々のフレームを符号化することは、フレームのインター予測される部分について、
リファレンスフレームのピクセルから予測部分を決定することと、
前記リファレンスフレームにおける前記予測部分の位置と当該フレームにおける前記インター予測される部分の位置との間のピクセルにおける距離に対応する動きベクトルの表現を決定することと、
前記予測部分が決定されるピクセルが、前記インター予測される部分のフィールドのパリティとは異なるパリティを有する、予測フィールドと呼ばれるフィールドに属する場合に、減算値を得るよう、前記動きベクトルの表現の少なくとも１つの成分の絶対値から、２ピクセルよりも大きいピクセルオフセットを減算することと、
前記減算値及びピクセルオフセット存在インジケータを含む予測データを生成することと
を有する、ビデオ符号化方法。
【請求項２】
前記フレームの領域は、長方形領域であり、前記フレームの各長方形領域は、異なるスライスセットとして定義される、
請求項１に記載のビデオ符号化方法。
【請求項３】
前記動きベクトルの表現は、動きベクトル予測子と当該動きベクトルとの間の動きベクトル差である、
請求項１又は２に記載のビデオ符号化方法。
【請求項４】
垂直成分についてのピクセルオフセットは、２に追加ピクセルオフセットを足したものに等しく、該追加ピクセルオフセットは、前記予測フィールドの中心と前記インター予測される部分のフィールドの中心との間の垂直距離に等しい、
請求項１乃至３のうちいずれか一項に記載のビデオ符号化方法。
【請求項５】
夫々のフレームは、２つの連続するフィールドを順に重ね垂直方向にアライメントしてまとめることで該２つのフィールドから生成され、垂直成分についてのピクセルオフセットは、２に追加ピクセルオフセットを足したものに等しく、該追加ピクセルオフセットは、前記２つのフィールドのうちの１つの高さに等しい、
請求項１乃至３のうちいずれか一項に記載のビデオ符号化方法。
【請求項６】
水平成分についてのピクセルオフセットは、２に追加ピクセルオフセットを足したものに等しく、該追加ピクセルオフセットは、前記予測フィールドの中心と前記インター予測される部分のフィールドの中心との間の水平距離に等しい、
請求項１乃至５のうちいずれか一項に記載のビデオ符号化方法。
【請求項７】
コンピュータシステムによって実行される場合に、該コンピュータシステムに請求項１乃至６のうちいずれか一項に記載のビデオ符号化方法を実行させる命令を含むコンピュータプログラム。
【請求項８】
交互に起こるパリティのフィールドのシーケンスを含むインターレースド・ビデオを符号化するビデオ符号化装置であって、
フレームのシーケンスを生成するよう構成され、夫々のフレームが、当該フレームの領域を夫々形成する少なくとも２つの連続するフィールドの形を成すようにするフィールド結合部と、
前記フレームのシーケンスの符号化されたビデオを生成するよう前記シーケンスの夫々のフレームを符号化するよう構成されるフレーム符号化部と
を有し、
前記シーケンスの夫々のフレームを符号化することは、フレームのインター予測される部分について、
リファレンスフレームのピクセルから予測部分を決定することと、
前記リファレンスフレームにおける前記予測部分の位置と当該フレームにおける前記インター予測される部分の位置との間のピクセルにおける距離に対応する動きベクトルの表現を決定することと、
前記予測部分が決定されるピクセルが、前記インター予測される部分のフィールドのパリティとは異なるパリティを有する、予測フィールドと呼ばれるフィールドに属する場合に、減算値を得るよう、前記動きベクトルの表現の少なくとも１つの成分の絶対値から、２ピクセルよりも大きいピクセルオフセットを減算することと、
前記減算値及びピクセルオフセット存在インジケータを含む予測データを生成することと
を有する、ビデオ符号化装置。
【請求項９】
前記フレームの領域は、長方形領域であり、前記フレームの各長方形領域は、異なるスライスセットとして定義される、
請求項８に記載のビデオ符号化装置。
【請求項１０】
前記動きベクトルの表現は、動きベクトル予測子と当該動きベクトルとの間の動きベクトル差である、
請求項８又は９に記載のビデオ符号化装置。
【請求項１１】
垂直成分についてのピクセルオフセットは、２に追加ピクセルオフセットを足したものに等しく、該追加ピクセルオフセットは、前記予測フィールドの中心と前記インター予測される部分のフィールドの中心との間の垂直距離に等しい、
請求項８乃至１０のうちいずれか一項に記載のビデオ符号化装置。
【請求項１２】
夫々のフレームは、２つの連続するフィールドを順に重ね垂直方向にアライメントしてまとめることで該２つのフィールドから生成され、垂直成分についてのピクセルオフセットは、２に追加ピクセルオフセットを足したものに等しく、該追加ピクセルオフセットは、前記２つのフィールドのうちの１つの高さに等しい、
請求項８乃至１０のうちいずれか一項に記載のビデオ符号化装置。
【請求項１３】
水平成分についてのピクセルオフセットは、２に追加ピクセルオフセットを足したものに等しく、該追加ピクセルオフセットは、前記予測フィールドの中心と前記インター予測される部分のフィールドの中心との間の水平距離に等しい、
請求項８乃至１２のうちいずれか一項に記載のビデオ符号化装置。
【請求項１４】
交互に起こるパリティのフィールドのシーケンスを表すフレームの符号化されたビデオを復号するビデオ復号化方法であって、
フレームのシーケンスを得るよう前記符号化されたビデオの夫々のフレームを復号することと、
夫々のフレームの少なくとも２つの領域を取り出し、該取り出された領域をインターレースド・ビデオの連続するフィールドとして定めることによって、前記フレームのシーケンスから前記インターレースド・ビデオを生成することと
を有し、
前記符号化されたビデオの夫々のフレームを復号することは、フレームのインター予測される部分について、
前記符号化されたビデオから動きベクトルの表現を決定することであり、該決定することは、予測部分が決定されるピクセルが、前記インター予測される部分のフィールドのパリティとは異なるパリティを有する、予測フィールドと呼ばれるフィールドに属する場合に、前記符号化されたビデオから決定される値に、２ピクセルよりも大きいピクセルオフセットを加えることによって、前記動きベクトルの表現の少なくとも１つの成分の絶対値を決定することを含む、ことと、
前記動きベクトルの表現から動きベクトルを決定することと、
前記動きベクトルから決定されるリファレンスフレームのピクセルから、前記予測部分を決定することと
を有する、ビデオ復号化方法。
【請求項１５】
前記フレームの領域は、長方形領域であり、前記フレームの各長方形領域は、異なるスライスセットとして定義される、
請求項１４に記載のビデオ復号化方法。
【請求項１６】
前記インターレースド・ビデオを生成することは、前記フレームを、第１フィールドとして定義される上部分と、第２フィールドとして定義される下部分とに水平に分けることを含む、
請求項１４又は１５に記載のビデオ復号化方法。
【請求項１７】
夫々のフレームは、２つの連続するフィールドを順に重ね垂直方向にアライメントしてまとめることで該２つのフィールドから生成され、垂直成分についてのピクセルオフセットは、２に追加ピクセルオフセットを足したものに等しく、該追加ピクセルオフセットは、前記２つのフィールドの１つの高さに等しい、
請求項１４乃至１６のうちいずれか一項に記載のビデオ復号化方法。
【請求項１８】
垂直成分についてのピクセルオフセットは、２に追加ピクセルオフセットを足したものに等しく、該追加ピクセルオフセットは、前記予測フィールドの中心と前記インター予測される部分のフィールドの中心との間の垂直距離に等しい、
請求項１４乃至１６のうちいずれか一項に記載のビデオ復号化方法。
【請求項１９】
水平成分についてのピクセルオフセットは、２に追加ピクセルオフセットを足したものに等しく、該追加ピクセルオフセットは、前記予測フィールドの中心と前記インター予測される部分のフィールドの中心との間の水平距離に等しい、
請求項１４乃至１８のうちいずれか一項に記載のビデオ復号化方法。
【請求項２０】
コンピュータシステムによって実行される場合に、該コンピュータシステムに請求項１４乃至１９のうちいずれか一項に記載のビデオ復号化方法を実行させる命令を含むコンピュータプログラム。
【請求項２１】
交互に起こるパリティのフィールドのシーケンスを表すフレームの符号化されたビデオを復号するビデオ復号化装置であって、
フレームのシーケンスを得るよう前記符号化されたビデオの夫々のフレームを復号するよう構成されるフレーム復号化部と、
夫々のフレームの少なくとも２つの領域を取り出し、該取り出された領域をインターレースド・ビデオの２つの連続するフィールドとして定めることによって、前記フレームのシーケンスから前記インターレースド・ビデオを生成するよう構成されるフレーム分割部と
を有し、
前記符号化されたビデオの夫々のフレームを復号することは、フレームのインター予測される部分について、
前記符号化されたビデオから動きベクトルの表現を決定することであり、該決定することは、予測部分が決定されるピクセルが、前記インター予測される部分のフィールドのパリティとは異なるパリティを有する、予測フィールドと呼ばれるフィールドに属する場合に、前記符号化されたビデオから決定される値に、２ピクセルよりも大きいピクセルオフセットを加えることによって、前記動きベクトルの表現の少なくとも１つの成分の絶対値を決定することを含む、ことと、
前記動きベクトルの表現から動きベクトルを決定することと、
前記動きベクトルから決定されるリファレンスフレームのピクセルから、前記予測部分を決定することと
を有する、ビデオ復号化装置。
【請求項２２】
前記フレームの領域は、長方形領域であり、前記フレームの各長方形領域は、異なるスライスセットとして定義される、
請求項２１に記載のビデオ復号化装置。
【請求項２３】
前記インターレースド・ビデオを生成することは、前記フレームを、第１フィールドとして定義される上部分と、第２フィールドとして定義される下部分とに水平に分けることを含む、
請求項２１又は２２に記載のビデオ復号化装置。
【請求項２４】
夫々のフレームは、２つの連続するフィールドを順に重ね垂直方向にアライメントしてまとめることで該２つのフィールドから生成され、垂直成分についてのピクセルオフセットは、２に追加ピクセルオフセットを足したものに等しく、該追加ピクセルオフセットは、前記２つのフィールドの１つの高さに等しい、
請求項２１乃至２３のうちいずれか一項に記載のビデオ復号化装置。
【請求項２５】
垂直成分についてのピクセルオフセットは、２に追加ピクセルオフセットを足したものに等しく、該追加ピクセルオフセットは、前記予測フィールドの中心と前記インター予測される部分のフィールドの中心との間の垂直距離に等しい、
請求項２１乃至２３のうちいずれか一項に記載のビデオ復号化装置。
【請求項２６】
水平成分についてのピクセルオフセットは、２に追加ピクセルオフセットを足したものに等しく、該追加ピクセルオフセットは、前記予測フィールドの中心と前記インター予測される部分のフィールドの中心との間の水平距離に等しい、
請求項２１乃至２５のうちいずれか一項に記載のビデオ復号化装置。
【手続補正２】
【補正対象書類名】明細書
【補正対象項目名】００７０
【補正方法】変更
【補正の内容】
【００７０】
ステップ３２６で、予測部１０８は、成分ＭＶＤ［ｃ］の絶対値がゼロよりも大きいかどうかを決定し、その決定の結果は、ｇｒｅａｔｅｒ−ｔｈａｎ−ｚｅｒｏ値において記憶される。記載される例では、ｇｒｅｔｅｒ−ｔｈａｎ−ｚｅｒｏ値は、ＨＥＶＣ標準において使用されるフラグ、すなわち、水平成分のためのａｂｓ＿ｍｖｄ＿ｇｒｅａｔｅｒ０＿ｆｌａｇ［０］及び垂直成分のためのａｂｓ＿ｍｖｄ＿ｇｒｅａｔｅｒ０＿ｆｌａｇ［１］を有する。
【手続補正３】
【補正対象書類名】明細書
【補正対象項目名】０１２７
【補正方法】変更
【補正の内容】
【０１２７】
その上、添付の特許請求の範囲において使用される用語は、上記の実施形態の要素に制限されると理解されるべきでなく、それどころか、当業者が彼らの一般知識を用いて導き出すことができる全ての同等の要素を含むと理解されるべきである。  
上記の実施形態に加えて、以下の付記を開示する。
（付記１）
一連の交互するＴＯＰフィールド及びＢＯＴフィールドを含むインターレースド・ビデオを符号化するビデオ符号化方法であって、
フレームのシーケンスを生成し、夫々のフレームが、当該フレームの領域を夫々形成する少なくとも２つの連続するフィールドから決定されるステップと、
前記フレームのシーケンスの符号化されたビデオを生成するよう前記シーケンスの夫々のフレームを符号化するステップと
を有するビデオ符号化方法。
（付記２）
前記シーケンスの夫々のフレームを符号化するステップは、フレームのインター予測される部分について、
リファレンスフレームのピクセルから予測部分を決定するステップと、
前記リファレンスフレームにおける前記予測部分の位置と当該フレームにおける前記インター予測される部分の位置との間のピクセルにおける距離に対応する動きベクトルの表示を決定するステップと、
前記予測部分が決定されるピクセルが、前記インター予測される部分のフィールドのパリティとは異なるパリティを有する、予測フィールドと呼ばれるフィールドに属する場合に、前記動きベクトルの表示の少なくとも１つの成分の絶対値から、２ピクセルよりも大きいピクセルオフセットを減算するステップと、
前記減算値及びピクセルオフセット存在インジケータを含む予測データを生成し、夫々の符号化されたビデオが前記予測データを含むステップと
を有する、付記１に記載のビデオ符号化方法。
（付記３）
前記フレームの領域は、長方形領域である、
付記１又は２に記載のビデオ符号化方法。
（付記４）
前記動きベクトルの表示は、動きベクトル予測子と当該動きベクトルとの間の動きベクトル差である、
付記２又は３に記載のビデオ符号化方法。
（付記５）
垂直及び水平の各成分ごとの更なるピクセルオフセットは、前記予測フィールドの中心と前記インター予測される部分のフィールドの中心との間の垂直及び水平の各距離に等しい、
付記４に記載のビデオ符号化方法。
（付記６）
夫々のフレームは、２つの連続するフィールドを順に重ね垂直方向にアライメントしてまとめることで該２つのフィールドから生成され、前記動きベクトル差の垂直成分のピクセルオフセットは、前記２つのフィールドのうちの１つの高さに等しい、
付記５に記載のビデオ符号化方法。
（付記７）
コンピュータシステムによって実行される場合に、該コンピュータシステムに付記１乃至６のうちいずれか一つに記載のビデオ符号化方法を実行させる命令を含むコンピュータプログラム。
（付記８）
一連の交互するＴＯＰフィールド及びＢＯＴフィールドを含むインターレースド・ビデオを符号化するビデオ符号化装置であって、
フレームのシーケンスを生成するよう構成され、夫々のフレームが、当該フレームの領域を夫々形成する少なくとも２つの連続するフィールドから決定されるようにするフィールド結合部と、
前記フレームのシーケンスの符号化されたビデオを生成するよう前記シーケンスの夫々のフレームを符号化するフレーム符号化部と
を有するビデオ符号化装置。
（付記９）
フレームのシーケンスの符号化されたビデオを復号するビデオ復号化方法であって、
前記シーケンスの夫々のフレームを復号するステップと、
夫々のフレームの少なくとも２つの領域を取り出し、該取り出された領域をインターレースド・ビデオの２つの連続するフィールドとして定めることによって、前記フレームのシーケンスからインターレースド・ビデオを生成するステップと
を有するビデオ復号化方法。
（付記１０）
前記シーケンスの夫々のフレームを復号するステップは、フレームのインター予測される部分について、
前記符号化されたビデオから動きベクトル表示を決定するステップであって、予測部分が決定されるピクセルが、前記インター予測される部分のフィールドのパリティとは異なるパリティを有する、予測フィールドと呼ばれるフィールドに属する場合に、前記符号化されたビデオから決定される値に、２ピクセルよりも大きいピクセルオフセットを加えることによって、前記動きベクトル表示の少なくとも１つの成分の絶対値を決定することを含むステップと、
前記動きベクトル表示から動きベクトルを決定するステップと、
前記動きベクトルから決定されるリファレンスフレームのピクセルから、前記予測部分を決定するステップと
を有する、付記９に記載のビデオ復号化方法。
（付記１１）
前記フレームの領域は、長方形領域である、
付記９又は１０に記載のビデオ復号化方法。
（付記１２）
前記インターレースド・ビデオを生成するステップは、前記フレームを、第１フィールドとして定義される上部分と、第２フィールドとして定義される下部分とに水平に分けることを含む、
付記９乃至１１のうちいずれか一つに記載のビデオ復号化方法。
（付記１３）
垂直成分について、前記ピクセルオフセットは、前記２つのフィールドの１つの高さに等しい更なるピクセルオフセットに２を加算したものに等しい、
付記１０乃至１２のうちいずれか一つに記載のビデオ復号化方法。
（付記１４）
コンピュータシステムによって実行される場合に、該コンピュータシステムに付記９乃至１３のうちいずれか一つに記載のビデオ復号化方法を実行させる命令を含むコンピュータプログラム。
（付記１５）
フレームのシーケンスの夫々のフレームを復号するよう構成されるフレーム復号化部と、
夫々のフレームの少なくとも２つの領域を取り出し、該取り出された領域をインターレースド・ビデオの２つの連続するフィールドとして定めることによって、前記フレームのシーケンスからインターレースド・ビデオを生成するよう構成されるフレーム分割部と
を有するビデオ復号化装置。